(57)【要約】【課題】ＭＲＩシステムにおいて電気的及び冷却的な相互接続を提供する。【解決手段】コイルアセンブリ８０６は、患者支持システムから遠位側の第１の端部に位置決めされた第１のセクション８７６及び患者支持システムの近位側の第２の端部に位置決めされた第２のセクション８７８を有する主傾斜コイルアセンブリ８７４を含む。第１のセクション８７６の周りには第１のＲＦシールド８８２が配置され、第２のセクション８７８の周りには第２のＲＦシールド８８３が配置される。第１及び第２のセクションの間にはアパーチャ８７５が延び、アパーチャ８７５を横断するようにコンジット８８６が延びている。コンジット８８６は、第１のＲＦシールド８８２と結合された第１の端部及び第２のＲＦシールド８８３と結合された第２の端部を含む。水力学的または電気的接続８９４がコンジット８８６の内部に配置されると共にこれを通過して延びている。【選択図】図８
2010005404.tif 000002
【特許請求の範囲】
【請求項１】
磁気共鳴撮像（ＭＲＩ）システム（１００、２００）向けのコイルアセンブリ（３０６、８０６）であって、
ＭＲＩシステム（１００、２００）の患者支持システム（２０８）の遠位側の第１の端部に位置決めされた第１のセクション（３７６、８７６）及びＭＲＩシステム（１００、２００）の患者支持システム（２０８）の近位側の第２の端部に位置決めされた第２のセクション（３７８、８７８）を備えた主傾斜コイルアセンブリ（３７４、８７４）と、
主傾斜コイルアセンブリの第１のセクション（３７６、８７６）の少なくとも一部分の周りに配置された第１のＲＦシールド（３８２、８８２）と、
主傾斜コイルアセンブリの第２のセクション（３７８、８７８）の少なくとも一部分の周りに配置された第２のＲＦシールド（３８３、８８３）と、
主傾斜コイルアセンブリの第１のセクションと第２のセクションの間に延びるアパーチャ（３７５、８７５）と、
アパーチャ（３７５、８７５）を横断するように延びると共に第１のＲＦシールドと結合された第１の端部（３７１）及び第２のＲＦシールドと結合された第２の端部（３７３）を備えたコンジット（３８６、８８６）と、
コンジット（３８６、８８６）の内部でその中を通過して配置された水力学的接続（８９４、９９５）と、
を備えるコイルアセンブリ（３０６、８０６）。
【請求項２】
前記コンジット（３８６、８８６）がアンテナ素子である請求項１に記載のコイルアセンブリ。
【請求項３】
前記水力学的接続（８９４、９９５）が冷却剤ラインである請求項１に記載のコイルアセンブリ。
【請求項４】
前記コンジット（３８６、８８６）はさらに、
導電性材料からなると共に第１のＲＦシールド（３８２、８８２）に接続された第１のセグメント（３８７、８８７）と、
非導電性材料からなると共に第１のセグメント（３８７、８８７）に接続された第２のセグメント（３８８、８８８）と、
導電性材料からなると共に第２のセグメント（３８８、８８８）及び第２のＲＦシールド（３８３、８８３）に接続された第３のセグメント（３８９、８８９）と、
を備える、請求項２に記載のコイルアセンブリ。
【請求項５】
前記コンジット（８８６）は非導電性材料を含む、請求項１に記載のコイルアセンブリ。
【請求項６】
磁気共鳴撮像（ＭＲＩ）システム（１００、２００）向けのコイルアセンブリ（３０６、８０６）であって、
ＭＲＩシステム（１００、２００）の患者支持システム（２０８）から遠位側の第１の端部に位置決めされた第１のセクション（３７６、８７６）及びＭＲＩシステム（１００、２００）の患者支持システム（２０８）の近位側の第２の端部に位置決めされた第２のセクション（３７８、８７８）を備えた主傾斜コイルアセンブリ（３７４、８７４）と、
主傾斜コイルアセンブリの第１のセクション（３７６、８７６）の少なくとも一部分の周りに配置された第１のＲＦシールド（３８２、８８２）と、
主傾斜コイルアセンブリの第２のセクション（３７８、８７８）の少なくとも一部分の周りに配置された第２のＲＦシールド（３８３、８８３）と、
主傾斜コイルアセンブリの第１のセクションと第２のセクションの間に延びるアパーチャ（３７５、８７５）と、
アパーチャ（３７５、８７５）を横断するように延びると共に第１のＲＦシールド（３８２、８８２）と結合された第１の端部（３７１）及び第２のＲＦシールド（３８３、８８３）と結合された第２の端部（３７３）を備えたコンジット（３８６、８８６）と、
コンジット（３８６、８８６）の内部でその中を通過して配置された電気的接続（８９４、１０９７）と、
を備えるコイルアセンブリ。
【請求項７】
前記コンジット（３８６、８８６）がアンテナ素子である請求項６に記載のコイルアセンブリ。
【請求項８】
前記コンジット（３８６、８８６）はさらに、
導電性材料からなると共に第１のＲＦシールド（３８２、８８２）に接続された第１のセグメント（３８７、８８７）と、
非導電性材料からなると共に第１のセグメント（３８７、８８７）に接続された第２のセグメント（３８８、８８８）と、
導電性材料からなると共に第２のセグメント（３８８、８８８）及び第２のＲＦシールド（３８３、８８３）に接続された第３のセグメント（３８９、８８９）と、
を備える、請求項６に記載のコイルアセンブリ。
【請求項９】
前記電気的接続（８９４、１０９７）が電気リードである請求項６に記載のコイルアセンブリ。
【請求項１０】
前記コンジット（３８６、８８６）は非導電性材料を含む、請求項６に記載のコイルアセンブリ。
【発明の詳細な説明】
【技術分野】
【０００１】
本開示は全般的には磁気共鳴撮像（ＭＲＩ）システムに関し、さらに詳細には冷却的及び電気的な相互接続並びに機械的支持を実現するためのシステム及び方法に関する。
【背景技術】
【０００２】
磁気共鳴撮像（ＭＲＩ）は、Ｘ線やその他の電離放射線を用いずに人体の内部の画像を作成することが可能な医用撮像様式の１つである。ＭＲＩは強力なマグネットを用いて強力で均一な静磁場（すなわち、「主磁場」）を発生させている。人体（あるいは、人体の一部）が主磁場内に置かれると、組織の水の中の水素原子核に関連する核スピンが偏向を受ける。このことは、これらのスピンに関連する磁気モーメントが主磁場の方向に特異的に整列することになり、これによって当該軸（慣例では、「ｚ軸」）の方向に小さな正味の組織磁化が得られることを意味する。ＭＲＩシステムはさらに、電流を加えたときに空間変動する振幅がより小さい磁場を発生させる傾斜コイルと呼ばれる構成要素をさらに備える。典型的には傾斜コイルは、ｚ軸（すなわち、「長手方向の軸」）に沿って整列すると共に、ｘ軸、ｙ軸またはｚ軸のうちの１つの方向で位置に応じて振幅が直線的に変動するような磁場成分を発生させるように設計されている。傾斜コイルの効果は単一の軸に沿って、その磁場強度に対してまた同時に核スピンの共鳴周波数に対してわずかな傾斜を生成させることにある。その軸が直交した３つの傾斜コイルを使用すれば、身体内の各箇所において標識共鳴周波数を生成することによってＭＲ信号が「空間エンコード」される。水素原子核の共鳴周波数、あるいはその近傍の周波数にあるＲＦエネルギーのパルスを発生させるためには無線周波数（ＲＦ）コイルが使用される。これらのコイルを使用すると核スピン系に対して制御された方式でエネルギーが追加される。次いで核スピンがその静止エネルギー状態まで緩和して戻ると、ＲＦ信号の形でエネルギーが放たれる。この信号はＭＲＩシステムによって検出されて、コンピュータや周知の再構成アルゴリズムを用いて画像になるように変換される。
【０００３】
ＭＲＩシステム向けのマグネットアセンブリの１タイプは形状が円筒状または環状であると共に、その一部として超伝導マグネット、傾斜コイルアセンブリ及びＲＦ体幹用コイルアセンブリを含む。ＲＦ体幹用コイルアセンブリは患者ボアチューブの外側面上に装着しかつ傾斜コイルアセンブリの内部に装着することが可能である。傾斜コイルアセンブリはＲＦ体幹用コイルアセンブリの周りで空間的に離間した共軸性の関係で配置されており、また傾斜コイルアセンブリがＲＦ体幹用コイルアセンブリを周回性に囲繞している。傾斜コイルアセンブリは超伝導マグネットの内部に装着されると共に超伝導マグネットによって周回性に囲繞されている。電気、制御信号、冷却剤その他の供給及び帰還のための相互接続はＭＲＩスキャナの円筒状のマグネットアセンブリの周りにある「サービス端部」からルート設定されるのが一般的であるが、患者テーブルやその他の患者を対象としたアスペクトはＭＲＩスキャナの別の端部である「患者端部」に配置される。
【０００４】
ＭＲＩシステムで使用される傾斜コイルアセンブリは、エポキシ樹脂などの材料によって互いに結合させた内側と外側の傾斜コイルアセンブリからなるシールド式傾斜コイルアセンブリとすることがある。内側傾斜コイルアセンブリまたは巻き線と外側傾斜コイルアセンブリまたは巻き線は、共通軸を基準とした同心円配列で配置させている。典型的には内側傾斜コイルアセンブリは、内側（または、主）Ｘ、Ｙ及びＺ傾斜コイルを含み、また外側傾斜コイルアセンブリはそれぞれの外側（または、シールド）Ｘ、Ｙ及びＺ傾斜コイルを含む。傾斜コイルの動作性能を向上させかつマグネットアセンブリで使用される半径方向の空間を低減させるために、傾斜コイル／ＲＦコイルの組み合わせ（すなわち、一体型）設計（例えば、Ｏｌｉｖｅｒ  Ｈｅｉｄ及びＭａｒｋｕｓ  Ｖｅｓｔｅｒを発明者とする「Ｔｉｍｅ−Ｖａｒｉａｂｌｅ  Ｍａｇｎｅｔｉｃ  Ｆｉｅｌｄｓ  Ｇｅｎｅｒａｔｏｒ  Ｆｏｒ  Ａ  Ｍａｇｎｅｔｉｃ  Ｒｅｓｏｎａｎｃｅ  Ａｐｐａｒａｔｕｓ」と題する米国特許第６，９３０，４８２号（２００５年８月１６日提出）に記載の設計）が開発されている。この設計では、主傾斜コイルを半径方向で撮像領域のより近くにもって行くことができ、傾斜動作性能を向上させることが可能である。一体型傾斜コイル／ＲＦコイル構成では、主傾斜コイル（すなわち、主（または、内側）傾斜コイルアセンブリのＸ、Ｙ及びＺ主傾斜コイル）を２つの部分に分割しこれによって円筒状の主傾斜コイル長さ方向に１つのギャップを生成することによって主（または、内側）傾斜コイルアセンブリとＲＦコイルを単一のユニットに組み合わせている。主傾斜コイルの２つの部分間のギャップ内にはＲＦ共鳴子（例えば、ＲＦコイル）が位置決めされる。コンデンサを差し渡したラングによってこのギャップをブリッジすることによってバードケージタイプのＲＦコイルを生成することが可能である。
【先行技術文献】
【特許文献】
【０００５】
【特許文献１】米国特許第６９３０４８２号
【特許文献２】米国特許第７０９８６６１号
【特許文献３】米国特許第７１０９７１５号
【特許文献４】米国特許第７１７３４２２号
【特許文献５】米国特許第７２３９１４１号
【発明の概要】
【発明が解決しようとする課題】
【０００６】
傾斜コイル／ＲＦコイルの組み合わせ（すなわち、一体型）構成では、分割型主傾斜コイル（Ｘ、Ｙ及びＺ主コイル）の各部分は電気的接続（または、リード）を必要とする。さらに、傾斜コイル／ＲＦコイルアセンブリに対してこれを通るようにルート設定した冷却ラインを接続しなければならない。この冷却剤及びリード接続は、主Ｘ、Ｙ及びＺ傾斜コイルの分離した部分のそれぞれに対して冷却剤及び電流の伝達を要することによって複雑となる。したがって、分割型主傾斜コイルの各部分に関して動作性能の限界を維持するまたは向上させるような堅牢な電気的及び水力学的接続に対する要求が存在する。
【課題を解決するための手段】
【０００７】
上述の短所、欠点及び問題点に対しては、以下の開示を読みかつ検討することにより理解されるようにして本明細書では対処している。
【０００８】
一実施形態では、磁気共鳴撮像（ＭＲＩ）システム向けのコイルアセンブリは、ＭＲＩシステムの患者支持システムから遠位側の第１の端部に位置決めされた第１のセクション及びＭＲＩシステムの患者支持システムの近位側の第２の端部に位置決めされた第２のセクションを備える主傾斜コイルアセンブリと、主傾斜コイルアセンブリの第１のセクションの少なくとも一部分の周りに配置された第１のＲＦシールドと、主傾斜コイルアセンブリの第２のセクションの少なくとも一部分の周りに配置された第２のＲＦシールドと、主傾斜コイルアセンブリの第１のセクションと第２のセクションの間に延びるアパーチャと、アパーチャを横断して延びると共に第１のＲＦシールドと結合された第１の端部及び第２のＲＦシールドと結合された第２の端部を備えるコンジットと、コンジットの内部でその中を通過して配置された水力学的接続と、を含む。
【０００９】
別の実施形態では、磁気共鳴撮像（ＭＲＩ）システム向けのコイルアセンブリは、ＭＲＩシステムの患者支持システムから遠位側の第１の端部に位置決めされた第１のセクション及びＭＲＩシステムの患者支持システムの近位側の第２の端部に位置決めされた第２のセクションを備える主傾斜コイルアセンブリと、主傾斜コイルアセンブリの第１のセクションの少なくとも一部分の周りに配置された第１のＲＦシールドと、主傾斜コイルアセンブリの第２のセクションの少なくとも一部分の周りに配置された第２のＲＦシールドと、主傾斜コイルアセンブリの第１のセクションと第２のセクションの間に延びるアパーチャと、アパーチャを横断して延びると共に第１のＲＦシールドと結合された第１の端部及び第２のＲＦシールドと結合された第２の端部を備えるコンジットと、コンジットの内部でその中を通過して配置された電気的接続と、を含む。
【００１０】
様々な趣旨のシステム及び装置について本明細書に記載している。本要約に記載した態様以外にも、図面を参照すること並びに以下の詳細な説明を読むことによってさらなる態様が明らかとなろう。
【図面の簡単な説明】
【００１１】
【図１】一実施形態に従った共鳴アセンブリを含む磁気共鳴撮像（ＭＲＩ）システムの簡略ブロック図である。
【図２】一実施形態に従った共鳴モジュールアセンブリの構成要素を表している図１のＭＲＩシステムの一実施形態の簡略側面像のブロック図である。
【図３】一実施形態に従った一体型傾斜コイル／ＲＦコイルアセンブリを表している簡略化拡大長手方向断面図である。
【図４】代替的な一実施形態に従った一体型傾斜コイル／ＲＦコイルアセンブリを表している簡略化拡大長手方向断面図である。
【図５】代替的な一実施形態に従った一体型傾斜コイル／ＲＦコイルアセンブリを表している簡略化拡大長手方向断面図である。
【図６】一実施形態に従ったラングの例示的な分布を表した図３の線Ｉ−Ｉに沿って見た断面図である。
【図７】代替的な一実施形態に従った一体型傾斜コイル／ＲＦコイルアセンブリを表している簡略化拡大長手方向断面図である。
【図８】一実施形態に従った水力学的または電気的接続を有する一体型傾斜コイル／ＲＦコイルアセンブリを表している簡略化拡大長手方向断面図である。
【図９】一実施形態に従った水力学的接続を有する図８の図で示した構成要素の下位部分に相当する拡大簡略化長手方向断面図である。
【図１０】一実施形態に従った電気的接続を有する図８の図で示した構成要素の下位部分に相当する拡大簡略化長手方向断面図である。
【図１１】一実施形態を表した拡大簡略化長手方向断面図である。
【発明を実施するための形態】
【００１２】
以下の詳細な説明では、本明細書の一部を形成すると共に、実施可能な特定の実施形態を一例として図示している添付の図面を参照することにする。これらの実施形態は、当業者が実施形態を実現できるように十分に詳細に記載しており、さらにその実施形態の趣旨を逸脱することなく、別の実施形態が利用されることがあり得ること、並びに論理的、機械的、電気的その他の変更が実施されることがあり得ること、を理解すべきである。
【００１３】
図面はいずれも縮尺通りでない。本明細書に記載したパラメータ値のレンジはその域内に属するすべての下位レンジを含むように理解されたい。以下の詳細な説明はしたがって、限定の意味に取るべきではない。本明細書で使用する場合に「コンデンサ」という用語は、離散的な回路構成要素、並びに導体のうちこれらの間にキャパシタンスが出現する物理的部分を含めるように使用している。
【００１４】
図１は、一実施形態に従った共鳴モジュールを含んだＭＲＩシステムの簡略ブロック図である。共鳴モジュール１０２は断面が円筒状であると共に主マグネット１０５を含む。主マグネット１０５は、断面が環状であると共に傾斜コイル及びＲＦ体幹用コイルアセンブリ１０６を囲繞している。ＭＲＩシステム１００はさらに、図示を簡略とするため並びに理解の容易性を促進するために図１には図示していない従来からの付属の構成要素も含んでいる。ＭＲＩシステム１００はさらに、主マグネット１０５と相対する適当な作動関係で固定されていると共にＭＲＩシステム１００での使用に適したモータ式テスト対象支持体（または、患者支持システム）１０８を含む。主マグネット１０５は、超伝導主コイル及びシールドコイル（ただし、これらに限らない）を含むことがある。以下でさらに検討することにするが、傾斜コイル及びＲＦ体幹用コイルアセンブリ１０６は一体型傾斜コイル／ＲＦ体幹用コイル構成として形成されている。
【００１５】
撮像作業に直ぐに使えるように適応させた表面コイルや並列ＲＦコイルなどの例示的な任意選択のＲＦ受信器コイル１１０を、撮像しようとするテスト対象１１２または患者を基準として適当に位置決めすることがある。テスト対象１１２、ＲＦ受信器コイル１１０及びテスト対象支持体１０８の組み合わせを収容するのに十分な患者ボア１１４が、ボア１１４の中心で軸１１８に沿った直線的な平行移動、並びに患者ボア１１４内部で図のページ面に対して直角に延びる（すなわち、図１の面に向かう方向と該面から出てくる方向の）移動の組み合わせを可能とさせるようにして据え付けられている。
【００１６】
共鳴モジュール１０２、ＲＦ受信器コイル１１０及びテスト対象１１２などＭＲＩシステム１００の構成要素は、互いに対して適当かつ事前決定された規定の幾何学的関係に維持されている。構成要素の幾何学的配列は、求められる検査のタイプ及び希望する撮像の性格に応じて様々としかつ統制することができる。
【００１７】
一実施形態ではＲＦ受信器コイル１１０は、主マグネット１０５や傾斜及びＲＦコイルアセンブリ１０６に対して固定的に取り付けられておらず、かつ患者支持システム１０８と物理的または固定的な結合または関連付けがない任意選択の遊離式の（ｆｌｏａｔｉｎｇ）レセプター（すなわち、ＲＦ受信器コイル１１０）を備える。換言すると、遊離式ＲＦ受信器コイル１１０は可搬式であるためにＭＲＩシステム１００のその他の構成要素に対して「遊離」していると共に、ＭＲＩシステム１００の残りの部分に対してはＭＲＩシステム１００のその他の部分に対する電子信号の伝達の役割もするティザー（ｔｅｔｈｅｒ）によって取り付けられている（これについては以下でさらに詳細に説明することにする）。
【００１８】
ＭＲＩシステム１００はさらに任意選択で、制御モジュールまたは制御器１２０を含む。制御器１２０は、例えば共鳴モジュール１０２及びマグネット１０５に対する軸１１８に沿ったテスト対象支持体１０８（またしたがって、テスト対象１１２）の動きをコンピュータ制御させるように構成されたモータ制御モジュール１２２を含むことがある。
【００１９】
制御器１２０はさらに、関連技術分野において周知のようにボア１１４内部に現れるＲＦ信号及び傾斜のそれぞれを制御し、そこからのデータ転送を容易にするように構成されたＲＦ体幹用コイル制御器１２６及び／または傾斜コイル制御器１２８を含むことがある。ＲＦ体幹用コイル制御器１２６は、傾斜及びＲＦ体幹用コイルアセンブリ１０６のＲＦ体幹用コイル構成要素を送信モードと受信モードの間で切り替えると共に、オペレータ制御に応答してＭＲＩシステム１００の残りの部分に対応してＲＦ体幹用コイルまたは任意選択のＲＦ受信器コイル１１０が受け取った信号を制御する。
【００２０】
１つまたは複数のコンピュータ１３０が、動作条件及び構成を表したデータを受け取りかつ適当な制御信号を供給するように構成されたバス１３２を介した制御器１２０への接続を提供している。バス１３３、１３４及び１３５は（例えば、モジュール１３６に対して）データ及び制御信号を転送する役割をする。モジュール１３６は画像処理エンジンとして構成されていると共に、演算リソース、特定用途向け集積回路などのハードウェア、あるいはこれらの組み合わせと結合させたソフトウェアを備えることがあり、またコンピュータ１３０並びにＭＲＩシステム１００のその他の構成要素及び／または外部の演算または通信リソースに対するかつ／またはこれらからの信号及びデータの交換を行うように構成された相互接続（１３４、１３５など）を介してＭＲＩシステム１００と結合されている。
【００２１】
システム１００はさらに、バス１３８、バス１３９及びオペレータコンソール１４０を含む。オペレータコンソール１４０は、バス１３３を介してＭＲＩシステム１００と結合されている。オペレータコンソール１４０は、１つまたは複数のディスプレイ１４２並びにユーザ入力インタフェース１４４を含む。ユーザ入力インタフェース１４４は、キーボード、マウスや別の触覚型入力デバイス、音声コマンド及び／またはその他の入力デバイス向けの機能のうちの１つまたは幾つかなどの媒体を含むことがある。１つまたは複数のディスプレイ１４２によって、ＭＲＩシステム１００の動作に関連する映像式、記号式及び／または音響式の情報、ユーザ選択可能なオプション並びにテスト対象１１２を表した画像を提供しており、またこれによって様々な動作モードやその他のシステム設定の中からのユーザ選択を容易にするためのグラフィカルユーザインタフェースを表示させることができる。
【００２２】
画像処理エンジン１３６は正確な計測及び評定に関する自動化を容易にする。画像処理エンジン１３６は、ディスプレイ向けに（例えば、ディスプレイまたはモニタ１４２を介して）様々なタイプの描出を提供するために複数の調整済み画像を形成することが可能である。画像処理エンジン１３６は特定用途向け集積回路を含む得るような分離した別個のモジュールを備えることがあり、あるいは適当なコンピュータ読み取り可能なプログラムモジュールと結合させた１つまたは複数のプロセッサを備えることがあり、あるいはコンピュータ１３０やその他の演算デバイスの一部分をなすことがある。
【００２３】
ＭＲＩシステム１００はさらに、バス１３８を介し適当なインタフェースによってコンピュータ１３０に結合させたメモリデバイス１５０を含む。メモリデバイス１５０は、大容量データ記憶機能１５４及び１つまたは複数の取外し式データ記憶デバイスポート１５６を含む。１つまたは複数の取外し式データ記憶デバイスポート１５６は可搬式データ記憶デバイスまたはメモリ１５８と着脱可能に結合させるように適応させており、この可搬式データ記憶デバイスまたはメモリ１５８は、光学式、磁気式及び／または半導体式のメモリを含むことがありかつ読み取り及び／または書き込み機能を有することがあり、また揮発性または不揮発のメモリデバイスとすることや前述の機能を組み合わせたものを含むことがある。
【００２４】
ＭＲＩシステム１００はさらに、ＲＦ受信器コイル１１０とＲＦ体幹用コイルのいずれかと結合させたデータ入力を有すると共に、バス１３９によって１つまたは複数のコンピュータ１３０に結合されているデータ収集／条件付けモジュール１６０を含む。データ収集／条件付けモジュール１６０は、ＲＦ受信器コイル１１０からまたはＲＦ体幹用コイルからのいずれかからアナログデータを取り込み、次いでこのデータをディジタル形式に変換するためのアナログ対ディジタル変換回路を含む。
【００２５】
次いで得られたディジタルデータは、ディスプレイ１４２のうちの少なくとも１つを介した最終的な表示のため並びに大容量記憶デバイス１５４内への可能な保存及び／または遠隔施設（図１では図示せず）とのデータのやり取りのために１つまたは複数のコンピュータ１３０に供給されることがある。ボア１１４内部の磁場を操作する役割並びにＲＦ受信器コイル１１０やＲＦ体幹用コイルから信号を回収して処理する役割をする制御１２０や信号処理１３６、１６０モジュールなどのサブシステムの連携を介してＭＲＩシステム１００から収集したデータは、患者１１２の内部の画像の形成あるいはこれらに関する定量的や定性的な評定をするためにデータ収集／条件付けモジュール１６０、１つまたは複数のコンピュータ１３０あるいは遠隔の演算リソース（図１では図示せず）と連携した信号処理機能のうちのいずれかにおいて条件付けされることがある。
【００２６】
図２は、一実施形態に従った共鳴モジュールアセンブリの構成要素を表している図１のＭＲＩシステムの一実施形態の簡略側面像のブロック図である。図２は縮尺通りではない。ＭＲＩシステム２００の側面像２０１は、図１の共鳴モジュール１０２に対応する共鳴モジュールアセンブリ２０２の断面図を含む。共鳴モジュールアセンブリ２０２は、超伝導マグネット２０４及び一体型傾斜コイル／ＲＦコイルアセンブリ２０６を含む。
【００２７】
共鳴モジュールアセンブリ２０２の内部にある患者ボア２１４は患者ボアチューブ２２４により囲繞されている。一実施形態では、患者ボアチューブ２２４の外側表面の近傍に配置された傾斜コイル／ＲＦコイルアセンブリ２０６並びにこれらの合成体は、超伝導マグネット２０４の内部に包含されると共にこの超伝導マグネット２０４により周回性に囲繞されている。当業者であれば、同様の幾何学構成を有するこれ以外の装着実施形態が可能でありかつ周知であることを理解されよう。コイル、クライオスタット構成要素、支持体、懸架部材、端部キャップ、ブラケット、その他などの様々な別の構成要素は、明瞭にするため図２から除外してある。図１のテスト対象支持体１０８に相当する支持システム２０８は、図１に示した軸１１８に相当する軸２１８（図２では双方向矢印で示している）に沿って、図１のモータ駆動システム１２２に相当するモータ駆動システム２２２から得られると共にこれにより制御を受けた動きを通じて患者ボアまたは開口２１４内に入るような及びこれから出てくるような長手方向の動きによって平行移動が可能であるように表している。
【００２８】
図２の面から読者の方向に延び出てくるＸ軸２６４（黒点中心のブルズアイ（標的点）パターン）を有する円の描出によって示す）、Ｙ軸２６６並びにＺ軸２６８（図１の長手方向軸１１８及び図２の２１８と平行な軸）によって例示的な座標系を図示している。ＭＲＩシステム２００は「サービス端部」２７０及び「患者端部」２７２を有する。本明細書で使用した座標系では、異なる名称を用いることがあるが、一般的には患者端部２７２からＭＲＩシステム２００のサービス端部２７０の方向に延び出てくるようにＺ軸２６８を取ることが多い。
【００２９】
超伝導マグネット２０４は主コイル（明示的には図示せず）を含んでおり、またさらに主コイルより大きい半径の位置に例えばシールドコイル（明示的には図示せず）を含むことがある。超伝導主コイルは患者ボア２１４の内部に均一性が高い主磁場Ｂ０を生成するように設計される。超伝導マグネット２０４は、超伝導コイルの温度を適当な臨界温度未満に維持するように設計された極低温環境内に封入されており、これによりコイルを零点抵抗を有する超伝導状態とすることができる。傾斜コイル／ＲＦコイルアセンブリ２０６は、時間依存の傾斜磁気パルスを発生させて撮像ボリューム内の点を周知の方式で空間エンコードするために使用できる傾斜コイルアセンブリを含む。傾斜コイル／ＲＦコイルアセンブリ２０６はさらに、テスト対象（例えば、図１の患者１１２）に対して１つの無線周波数パルス（または、複数のパルス）を適用するために使用できるＲＦ体幹用コイルを含んでおり、また傾斜コイル／ＲＦコイルアセンブリ２０６はテスト対象から戻されたＭＲ情報または信号を受け取るために使用されることがある。
【００３０】
傾斜コイル／ＲＦコイルアセンブリ２０６は一体型すなわち組み合わせ式の傾斜コイル／ＲＦコイル構成である。図３は、一実施形態に従った一体型傾斜コイル／ＲＦコイルアセンブリを表している簡略化拡大長手方向断面図である。具体的に図３は、参照番号３０６によって示しているように図２の傾斜コイル／ＲＦコイルアセンブリ２０６を拡大しより詳細に表した図となっている。傾斜コイル／ＲＦコイルアセンブリ３０６はボア３１４の半径方向で外方に配置されている。図３にはさらに、図２に示した同様の構成要素２７０及び２７２に対応するサービス端部３７０及び患者端部３７２も図示している。
【００３１】
図３に示した実施形態では、傾斜コイル／ＲＦ体幹用コイルアセンブリ３０６の傾斜コイルはシールド式であると共に、内側（または、主）傾斜コイルアセンブリ３７４及び外側（または、シールド）傾斜コイルアセンブリ３８０を含んでいる。主傾斜コイルアセンブリ３７４は第１のセクション３７６と第２のセクション３７８という２つのセクションに分割されており、これら第１のセクション３７６と第２のセクション３７８の間には主傾斜コイルアセンブリ３７４の長さ方向に沿ってギャップ（または、アパーチャまたは開口）３７５が配置されている。一実施形態ではその第１のセクション３７６と第２のセクション３７８の各々は主傾斜コイルアセンブリ３７４の半分を形成しており、ギャップ３７５は主傾斜コイルアセンブリ３７４の分割された各半分の概ね中間に配置されている。主傾斜コイルアセンブリ３７４の各セクション３７６、３７８は、主（または、内側）Ｘ、Ｙ及びＺ傾斜コイル（向きを交互に変えたハッチングを付けた細長い領域で表している）を含む。シールド傾斜コイルアセンブリ３８０は、シールド（または、外側）Ｘ、Ｙ及びＺ傾斜コイル（図３並びに後続の図面の幾つかにおいて、向きを交互に変えたハッチングで示す）を含む。
【００３２】
第１のＲＦシールド３８２と第２のＲＦシールド３８３は、分割型主傾斜コイルアセンブリセクション３７６及び３７８のそれぞれをギャップまたは開口３７５から分離している。第１のＲＦシールド３８２は第１のセクション３７６の少なくとも一部分の周りに巻き付けられまたは配置されており、また第２のＲＦシールド３８３は第２のセクション３７８の少なくとも一部分の周りに巻き付けられまたは配置されている。ＲＦシールド３８２、３８３は典型的には、銅箔などの導電性材料を含む。図３に示した実施形態では、第１のＲＦシールド３８２及び第２のＲＦシールド３８３が、ＲＦシールド側壁３８５を用いて外側傾斜コイルアセンブリ３８０の内側表面の近傍上または近傍内に位置決めされた第３のＲＦシールド３８４に接続されている。主傾斜コイルアセンブリの第１のセクション３７６と主傾斜コイルアセンブリの第２のセクション３７８の間でギャップ３７５を横断して少なくとも１つのラングまたはコンジット３８６が延びている。図４に示した代替的な一実施形態では、主傾斜コイルアセンブリ３７４の第１のセクション３７６は第１のＲＦシールド３８２によって囲繞されており、また主傾斜コイルアセンブリ３７４の第２のセクション３７８は第２のＲＦシールド３８３によって囲繞されている。第３のＲＦシールド３８４は、外側傾斜コイルアセンブリ３８０の内側表面の近傍にあるいはこの上に位置決めされているが、第１のＲＦシールド３８２及び第２のＲＦシールド３８３には接続されていない。図３の場合のように、主傾斜コイルアセンブリの第１のセクション３７６と第２のセクション３７８の間にはギャップまたは開口３７５を横断するようにラングまたはコンジット３８６が延びている。別の代替的実施形態では、傾斜コイル／ＲＦコイルアセンブリ３０６の傾斜コイルは図５に示すような非シールド式の傾斜コイルアセンブリであると共に、主傾斜コイルアセンブリ３７４を含む。主傾斜コイルアセンブリの第１のセクション３７６は第１のＲＦシールド３８２によって囲繞されており、また主傾斜コイルアセンブリの第２のセクション３７８は第２のＲＦシールド３８３によって囲繞されている。超伝導マグネット３０４の内側表面（例えば、マグネット容器の内側表面）には第３のＲＦシールド３８４が取り付けられることがある。図３の場合のように、主傾斜コイルアセンブリの第１のセクション３７６と第２のセクション３７８の間にはギャップまたは開口３７５を横断するようにラングまたはコンジット３８６が延びている。
【００３３】
図３に戻るとラングまたはコンジット３８６は、ＲＦアンテナ素子、主傾斜コイルアセンブリ３７４の２つのセクション３７６、３７８間の水力学的接続のためのコンジット（例えば、冷却用ラインまたはチューブ）及び／または主傾斜コイルアセンブリ３７４の２つのセクション３７６、３７８間の電気的接続のためのコンジット（例えば、電気導体またはリード）（ただし、これらに限らない）を含む複数の機能のために使用し得るような中空で円筒状のラングまたはチューブである。コンジット３８６の第１の端部３７１は第１のＲＦシールド３８２内の開口に接続されており（例えば、第１の端部３７１は第１のＲＦシールド３８２内の開口の側面にはんだ付けまたは溶接されることがあり）、またコンジット３８６の第２の端部３７３は第２のＲＦシールド３８３内の開口に接続されている（例えば、第２の端部３７３は第２のＲＦシールド３８３内の開口の側面にはんだ付けまたは溶接されることがある）。一実施形態ではコンジット３８６は、主傾斜コイルアセンブリ３７４の２つのセクション３７６、３７８間にあるギャップ３７５内のボア３１４の周りに分布した複数のラングを有するバードケージタイプのＲＦコイルのようなＲＦコイルのラングを形成する。図６は、一実施形態に従った例示的なラング分布を表している図３の線Ｉ−Ｉに沿って見た断面図である。図６では、主傾斜コイルアセンブリの２つのセクション間にあるギャップまたは開口内のボア６１４の周りに複数のラング６８６が分布している。一実施形態では、ボア６１４の周りでラングを均一に分布させている。図６ではこれらのラングを、ボアの周りにある１６個の円の形で表している。一実施形態では、３２個のラングを利用することがある。当業者であれば、適当なＲＦ設計基準並びにシステム動作性能の検討事項及び仕様に準拠するように具体的なシステム設計に適した数のラングを包括的に提供するように、ラングの数はこれより多くすることも少なくすることもできることを理解されよう。図３に示すようにまた本明細書においてさらに図７〜１１に関連して説明するように、コイルのラング６８６のうちの少なくとも１つのコンジットとなっている。
【００３４】
再度図３に戻ると、コンジット３８６がＲＦコイルのアンテナ素子またはラングを形成するような一実施形態を表している。したがってコンジット３８６は、第１のセグメント３８７、第２の（あるいは、介在型または中間）セグメント３８８及び第３のセグメント３８９という複数のセグメントからなる。コンジット３８６は、双方向矢印３９１で示したようにセグメント３８７、３８８及び３８９を通って延びる中空コアまたはチャンネル３９０を含む。アンテナ素子として機能させるために、第１のセグメント３８７及び第３のセグメント３８９は導電性材料（例えば、銅）から形成されていると共に、第１のセグメント３８７と第３のセグメント３８９の間で電流をブリッジするためにこれら第１のセグメント３８７及び第３のセグメント３８９にコンデンサ３９３を接続している。第２の（または、中間）セグメント３８８は絶縁性の材料から形成されている。水力学的または電気的接続を実施するためにコンジット３８６を使用しない代替的な一実施形態では、図７に示すようにコンデンサを中空コア３９０のコンジット３８６内部に収容することがある。図７は、代替的な一実施形態に従った一体型傾斜コイル／ＲＦコイルアセンブリを表している簡略化拡大長手方向断面図である。コンデンサ７９３がラング７８６の内部に（例えば、チャンネル７９０内に）位置決めされると共に、ラング７８６の第１のセグメント７８７と第３のセグメント７８９を接続することによって、絶縁性の第２のセグメント７８８をブリッジしている。図３に戻ると別の実施形態では、アンテナ素子の役割をしないがブリッジ専用の構成要素としてコンジット３８６が使用されているが、コンジット３８６は水力学的及び／またはリード接続だけしか提供しておらずコンジット３８６のセグメント３８７、３８８及び３８９はすべて非導電性材料（例えば、プラスチックパイプ）から製作されている。
【００３５】
上で言及したように、コンジット３８６は水力学的または電気的接続のために使用されることもある。図８は、本発明の実施形態に従った水力学的または電気的接続を有する一体型傾斜コイル／ＲＦコイルアセンブリを表している簡略化拡大長手方向断面図である。傾斜コイル／ＲＦコイルアセンブリ８０６はボア８１４の半径方向外方に配置されている。矢印は、傾斜コイル／ＲＦコイルアセンブリ８０６のサービス端部８７０と患者端部８７２を表している。分割型主傾斜コイルアセンブリ８７４は、ギャップ、アパーチャまたは開口８７５によって分離された第１のセクション８７６及び第２のセクション８７８を含む。シールド傾斜コイルアセンブリ８８０を示している。第１のＲＦシールド８８２と第２のＲＦシールド８８３は分割型主傾斜コイルセクション８７６、８７８のそれぞれをギャップまたは開口８７５から分離している。
【００３６】
第１のセグメント８８７、第２のセグメント８８８及び第３のセグメント８８９からなるコンジット８８６は、分割型主傾斜コイルアセンブリ８７４の２つのセクション８７６、８７８間を延びると共に、開口８７５をブリッジする１つのラングを形成する。図３に関連して上で検討したように、コンジット８８６はＲＦコイルのアンテナ素子を形成することがある。コンジット８８６は、セグメント８８７、８８８及び８８９を通過して延びる中空コアまたはチャンネル８９０（図３では中空コアまたはチャンネル３９０に対応する）を含む。水力学的接続（例えば、冷却剤ラインまたはチューブ）または電気的（例えば、電気導体またはリード）接続８９４は中空コアまたはチャンネル８９０の内部に配置するか、あるいはこの内部に収容している。したがって水力学的または電気的接続８９４はコンジット８８６内を通過する。図８では、主傾斜コイルアセンブリ８７４のセクション８７６、８７８のそれぞれの中の個々のコイルに接続された接続８９４を表している。代替的実施形態ではその接続８９４の端部は、具体的なシステム構成に関する水力学的または電気的接続の要求に応じた代替経路に沿って導かれることがある。例えば接続８９４の端部は、破線８９８及び８９９のそれぞれで示したように主傾斜コイルアセンブリ８７４の個々のコイル間を通過することや、主傾斜コイルアセンブリ８７４の内側半径に沿って通過することがある。
【００３７】
一実施形態では接続８９４は、主傾斜コイルアセンブリ８７４の第１の８７６と第２の８７８セクションの間で流体冷却剤を結合させる水力学的接続（例えば、冷却剤ラインまたはチューブ）である。図９は、一実施形態に従った水力学的接続を有する、図８の図で示した構成要素の下位部分に相当する拡大簡略化長手方向断面図である。第１のＲＦシールド９８２と第２のＲＦシールド９８３の間にギャップまたは開口９７５が延びている。コンジット９８６は開口９７５をブリッジしていると共に、第１のセグメント９８７、第２のセグメント９８８及び第３のセグメント９８９を含む。図３に関連して上で検討したように、コンジット９８６をアンテナ素子としても利用する場合は、第１のセグメント９８７及び第３のセグメント９８９が導電性材料から形成されており、第２の（絶縁性の）セグメント９８８が絶縁性の（非導電性材料）から形成されており、かつ第１の９８７と第３の９８９セグメントの間にコンデンサ３９３（図３参照）を接続させている。別法として、コンジット９８６を水力学的接続を提供するためだけに使用する場合は、３つのセグメント９８７、９８８及び９８９をすべて非導電性材料から製作することがある。
【００３８】
分割型主傾斜コイルアセンブリ８７４（図８参照）の第１と第２のセクション（例えば、図８に示したセクション８７６、８７８）の間における双方向矢印９９１によって示したような冷却剤の循環を可能にさせるために、コンジット９８６の中空コアまたはチャンネル９９０の内部でこれを通過するように冷却剤ラインまたはチューブ９９５を配置させている。利用される冷却剤が水素原子核を含む流体（例えば、水を元にしたもの）やその物理的性質が撮像に影響を及ぼし兼ねないようなその他の材料を含む流体であるときは、ＲＦシールド９９２によって冷却剤ラインまたはチューブ９９５を囲繞し封入することがある。一実施形態ではそのＲＦシールド９９２は、非導電性材料からなる第２のセグメント９８８の内部に封入されることや第２のセグメント９８８を通過して延びることがあり、また非導電性セグメント９８８のいずれかの端部に配置させた導電性のコンジットセグメント９８７、９８９内まで延ばすことがある。セグメント９８７、９８８、９８９のすべてが非導電性材料からなるような一実施形態では、そのＲＦシールド９９２はコンジット９８６の全体にわたって延びることがある。
【００３９】
図８に戻ると別の実施形態では、接続８９４は主傾斜コイルアセンブリ８７４の第１の８７６と第２の８７８セクションを電気的に結合させる電気的接続（例えば、電気導体またはリード）である。例えば電気リードはコンジット８８６の中空のチャンネル８９０を通って延びると共に分割型主傾斜コイルアセンブリ８７４の第１の８７６及び第２の８７８セクションの対応する個々のコイル（例えば、Ｚコイル）を電気的に結合させることがある。図１０は、一実施形態に従った電気的接続を有する図８の図で示した構成要素の下位部分に相当する拡大簡略化長手方向断面図である。第１のＲＦシールド１０８２と第２のＲＦシールド１０８３の間にはギャップまたは開口１０７５が延びている。コンジット１０８６は開口１０７５をブリッジすると共に、第１のセグメント１０８７、第２のセグメント１０８８及び第３のセグメント１０８９を含む。図３に関連して上で検討したように、コンジット１０８６をアンテナ素子としても利用する場合は、第１のセグメント１０８７及び第３のセグメント１０８９が導電性材料から形成されており、第２の（絶縁性の）セグメント１０８８が絶縁性の（非導電性材料）から形成されており、かつ第１の１０８７と第３の１０８９セグメントの間にコンデンサ３９３（図３参照）を接続させている。別法として、コンジット１０８６を電気的接続を提供するためだけに使用する場合は、３つのセグメント１０８７、１０８８及び１０８９をすべて非導電性材料から製作することがある。
【００４０】
双方向矢印１０９１で示したように分割型主傾斜コイルアセンブリ８７４（図８参照）の第１と第２のセクション（例えば、図８に示したセクション８７６、８７８）を電気的に結合するために、電気導体またはリード１０９７がコンジット１０８６の中空コアまたはチャンネル１０９０の内部に配置されると共にこれを通って延びている。コンジット１０８６の内部にＲＦシールド１０９２が配置されると共にチャンネル１０９０及び導体１０９７を囲繞することがある。ＲＦシールド１０９２は非導電性材料からなる第２のセグメント１０８８の内部に包含されると共にこれを通って延びることがあり、また非導電性セグメント９８８のいずれかの端部に配置された導電性のコンジットセグメント１０８７、１０８９内まで延びることがある。セグメント１０８７、１０８８、１０８９のすべてが非導電性材料からなるような一実施形態では、ＲＦシールド１０９２がコンジット１０８６全体にわたって延びることがある。
【００４１】
本明細書の上で記載した実施形態は様々な方式で組み合わせられることがある。例えば複数のラングまたはコンジット（例えば、図６に示すようなＲＦコイル構成）を有する一実施形態では、第１のコンジットがアンテナ素子（例えば、導電性または非導電性のセグメント）だけに利用される、すなわち冷却剤ラインや電気リードを含まないことがある。第２のコンジットはアンテナ素子として利用されると共に冷却剤ラインを含むことがある。第３のコンジットはアンテナ素子として利用されると共に電気リードを含むことがある。第４のコンジットは水力学的または電気的接続のみを含むが、アンテナ素子として構成されないことがある。一実施形態では、アンテナ素子として使用可能でありかつ冷却剤を伝達するコンジットは、アンテナ素子として使用可能でありかつ電流を伝達する電気的接続を提供するコンジットと交互配置させている。別の実施形態では、ラングのうちの幾つかが水力学的または電気的接続のためのコンジットとして使用され、また残りのラングがアンテナ素子としてだけ使用される。例えば、ラング６８６（図６参照）のうちの６つがアンテナ素子としてかつ電気的接続のために使用されることがあり、ラング６８６のうちの２つがアンテナ素子としてかつ冷却剤接続のために使用されることがあり、また残りの８つのラング６８６がアンテナ素子としてだけ使用されて水力学的または電気的接続を担わないことがある。
【００４２】
図３に戻ると言及したように、コンジット３８６の第１のセグメント３８７及び第３のセグメント３８９に接続されたコンデンサ３９３によってキャパシタンスが提供されることがある。図１１は、図３のコンデンサの模式的な表示を用いて記号で表したキャパシタンス３９３をコンジットまたはラング３８６の外部域で実現し得るような代替的な一方法を表している。
【００４３】
図１１では、第１のＲＦシールド１１８２と第２のＲＦシールド１１８３の間にギャップまたは開口１１７５が延びている。コンジット１１８６は開口１１７５をブリッジすると共に、導電性材料からなる第１のセグメント１１８７及び第３のセグメント１１８９を含む。非導電性の第２のセグメント１１８８が第１の１１８７と第２の１１８９セグメントを結合させている。第１のセグメント１１８７と第３のセグメント１１８９のギャップ１１７５の中間の近くにある端部は、その一方（この例では第３のセグメント１１８９の一部として図示）が絶縁性の第２のセグメント１１８８の内部の周りにはめ込まれ、かつもう一方（この例では第１のセグメント１１８７の一部として図示）が絶縁性の第２のセグメント１１８８の外部の周りにはめ込まれるようにして配列されている。これによって、コンジット１１８６の導電性のセグメント１１８７、１１８９を電気的に結合させるキャパシタンス（図１１ではコンデンサ１１９６として記号で示している）の役割をするある程度の重複１１８１が得られる。
【００４４】
結果として本明細書で開示した新規の概念によって、ＭＲＩシステム１００の設計及び構造の柔軟性が容易となる。幾つかの実施形態では、ラングまたはコンジットのすべてがアンテナ機能以外に電気的や機械的な機能の様相を含むものではない。より具体的に一実施形態では、図３、６及び８に示したラング３８６、６８６、８８６のうちの１つまたは幾つかを多重機能とさせようとしており、したがってこれらはそれぞれ図８及び９に具体的に言及しながら上で示したようにＭＲＩシステム１００のセクション間に冷却剤を結合させるのに適したコンジット８８６、９８６を形成することがある。一実施形態では、図３、６及び８のラング３８６、６８６、８８６のうちの１つまたは幾つかは、図８及び１０のそれぞれの図面を具体的に参照しながら上で検討したように、ＭＲＩシステム１００のセクション間で電気導体を結合させるのに適したコンジット８８６、１０８６を形成することがある。換言すると、ＭＲＩシステムに付属するラングのうちの一部または全部がアンテナ素子またはラングとして機能する。しかしラングのうちの幾つかは単なるコンジットとなる（すなわち、アンテナ素子の役割をしない）ことがあり、かつ／または１つまたは複数のラングは本明細書に包含された概念に準拠した追加の機能を含むことがある。図３〜１１のうちの１つまたは幾つかを参照しながらこれら開示した概念の例示的な実現形態について上で説明した。
【００４５】
本明細書では特定の実施形態について図示し記載したが、提示した特定の実施形態を同じ目的を達成するように計算された任意の機構によって置換することができることは当業者であれば理解されよう。本開示は任意の適応形態や変形形態を包含するように意図している。例えば、手続き用語で記述していても、これらの実現形態が手続き型設計環境や必要な関係を提供できる別の任意の設計環境で実施できることは当業者であれば理解されよう。
【００４６】
詳細には、処理法及び装置の呼称やラベルは実施形態を限定することを意図していないことは当業者であれば容易に理解されよう。さらに、構成要素に対して追加的な処理法及び装置を付加することが可能であり、構成要素間で機能を配分し直すことが可能であり、かつ実施形態で使用される将来的な改良や物理的考案に対応した新たな構成要素を実施形態の範囲を逸脱することなく導入することが可能である。
【符号の説明】
【００４７】
１００  ＭＲＩシステム
１０２  共鳴モジュール
１０５  主マグネット
１０６  傾斜コイル及びＲＦ体幹用コイルアセンブリ
１０８  テスト対象支持体／患者支持システム
１１０  ＲＦ受信器コイル
１１２  テスト対象
１１４  患者ボア
１１８  軸
１２０  制御モジュール／制御器
１２２  モータ制御モジュール
１２６  ＲＦ体幹用コイル制御器
１２８  傾斜コイル制御器
１３０  コンピュータ
１３２  バス
１３３  バス
１３４  バス
１３５  バス
１３６  モジュール／画像処理エンジン
１３８  バス
１３９  バス
１４０  オペレータコンソール
１４２  ディスプレイ
１４４  ユーザ入力インタフェース
１５０  メモリデバイス
１５４  大容量データ記憶
１５６  取外し式データ記憶デバイスポート
１５８  可搬式データ記憶デバイスまたはメモリ
１６０  データ収集／条件付けモジュール
２００  ＭＲＩシステム
２０１  側面像
２０２  共鳴モジュールアセンブリ
２０４  超伝導マグネット
２０６  一体型傾斜コイル／ＲＦコイルアセンブリ
２０８  支持システム
２１４  患者ボア
２１８  軸
２２２  モータ駆動システム
２６４  Ｘ軸
２６６  Ｙ軸
２６８  Ｚ軸
２７０  サービス端部
２７２  患者端部
３０６  傾斜コイル／ＲＦコイルアセンブリ
３１４  ボア
３７０  サービス端部
３７１  コンジットの第１の端部
３７２  患者端部
３７３  コンジットの第２の端部
３７４  内側または主傾斜コイルアセンブリ
３７５  ギャップ、アパーチャまたは開口
３７６  主傾斜コイルアセンブリの第１のセクション
３７８  主傾斜コイルアセンブリの第２のセクション
３８０  外側またはシールド傾斜コイルアセンブリ
３８２  第１のＲＦシールド
３８３  第２のＲＦシールド
３８４  第３のＲＦシールド
３８５  ＲＦシールド側壁
３８６  ラング／コンジット
３８７  コンジットの第１のセグメント
３８８  コンジットの第２の（介在型、中間）セグメント
３８９  コンジットの第３のセグメント
３９０  コンジットの中空コアまたはチャンネル
３９１  双方向矢印
３９３  コンデンサ
３０６  傾斜コイル／ＲＦコイルアセンブリ
３７４  主傾斜コイルアセンブリ
３７５  ギャップまたは開口
３７６  主傾斜コイルアセンブリの第１のセクション
３７８  主傾斜コイルアセンブリの第２のセクション
３８０  外側傾斜コイルアセンブリ
３８２  第１のＲＦシールド
３８３  第２のＲＦシールド
３８４  第３のＲＦシールド
３８６  ラング／コンジット
３０４  超伝導マグネット
３０６  傾斜コイル／ＲＦコイルアセンブリ
３７４  主傾斜コイルアセンブリ
３７５  ギャップまたは開口
３７６  主傾斜コイルアセンブリの第１のセクション
３７８  主傾斜コイルアセンブリの第２のセクション
３８２  第１のＲＦシールド
３８３  第２のＲＦシールド
３８４  第３のＲＦシールド
３８６  ラング／コンジット
６１４  ボア
６８６  ラング
７８６  ラング
７８７  コンジットの第１のセグメント
７８８  コンジットの絶縁性の第２のセグメント
７８９  コンジットの第３のセグメント
７９０  チャンネル
７９３  コンデンサ
８０６  傾斜コイル／ＲＦコイルアセンブリ
８１４  ボア
８７０  サービス端部
８７２  患者端部
８７４  分割型主傾斜コイルアセンブリ
８７５  ギャップ、アパーチャ、または開口
８７６  主傾斜コイルアセンブリの第１のセクション
８７８  主傾斜コイルアセンブリの第２のセクション
８８０  シールド傾斜コイルアセンブリ
８８２  第１のＲＦシールド
８８３  第２のＲＦシールド
８８６  コンジット
８８７  コンジットの第１のセグメント
８８８  コンジットの第２のセグメント
８８９  コンジットの第３のセグメント
８９０  中空コアまたはチャンネル
８９４  水力学的または電気的接続
８９８  接続８９４の代替経路
８９９  接続８９４の代替経路
９７５  ギャップまたは開口
９８２  第１のＲＦシールド
９８３  第２のＲＦシールド
９８６  コンジット
９８７  コンジットの第１のセグメント
９８８  コンジットの第２のセグメント
９８９  コンジットの第３のセグメント
９９０  中空コアまたはチャンネル
９９１  双方向矢印
９９２  ＲＦシールド
９９５  冷却剤ラインまたはチューブ
１０７５  ギャップまたは開口
１０８２  第１のＲＦシールド
１０８３  第２のＲＦシールド
１０８６  コンジット
１０８７  コンジットの第１のセグメント
１０８８  コンジットの第２のセグメント
１０８９  コンジットの第３のセグメント
１０９０  中空コアまたはチャンネル
１０９１  双方向矢印
１０９２  ＲＦシールド
１０９７  電気導体またはリード
１１７５  ギャップまたは開口
１１８１  第１と第３のセグメントの重複
【００４８】
１１８２  第１のＲＦシールド
１１８３  第２のＲＦシールド
１１８６  コンジット
１１８７  コンジットの第１のセグメント
１１８８  コンジットの第２のセグメント
１１８９  コンジットの第３のセグメント
１１９６  コンデンサ
【図１】
2010005404.tif 000003
【図２】
2010005404.tif 000004
【図３】
2010005404.tif 000005
【図４】
2010005404.tif 000006
【図５】
2010005404.tif 000007
【図６】
2010005404.tif 000008
【図７】
2010005404.tif 000009
【図８】
2010005404.tif 000010
【図９】
2010005404.tif 000011
【図１０】
2010005404.tif 000012
【図１１】
2010005404.tif 000013